(57)【特許請求の範囲】
【請求項１】
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出した各スペクトラムのピーク波長を取得する段階（Ｓ６〜Ｓ８）と、
前記波長分割多重光が入力されている間に波長校正を指示する段階（Ｓ１０）と、
波長校正の指示があったときに前記ピーク波長検出手段が検出したピーク波長を取得し、該取得したピーク波長が前記波長分割多重光の入力直後に取得したピーク波長と一致するように、前記スペクトラム検出部の波長に関する情報を校正する段階（Ｓ１１〜Ｓ１７）とを含むことを特徴とする光スペクトラムアナライザの波長校正方法。
【請求項２】
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出したピーク波長を取得する段階（Ｓ６〜Ｓ８）と、
取得した各ピーク波長に対して光スペクトラムアナライザの波長変動の補償範囲をそれぞれ設定する段階（Ｓ９）と、
前記波長分割多重光の入力中に波長校正を指示する段階（Ｓ１０）と、
波長校正の指示があったときに前記ピーク波長検出手段が検出したピーク波長を取得し、該取得したピーク波長のうち、前記補償範囲内に存在するピーク波長を選択する段階（Ｓ１１、Ｓ１２）と、
選択したピーク波長の平均値を中心波長として求める段階（Ｓ１３）と、
前記波長分割多重光の入力直後に取得したピーク波長のうち、前記選択したピーク波長が含まれる補償範囲にそれぞれ対応するピーク波長を選択する段階（Ｓ１４）と、
前記波長分割多重光の入力直後に取得したピーク波長のうちから選択したピーク波長の平均値を基準中心波長として求める段階（Ｓ１５）と、
前記中心波長が前記基準中心波長に一致するように、前記スペクトラム検出部の波長に関する情報を校正する段階（Ｓ１６、Ｓ１７）とを含むことを特徴とする光スペクトラムアナライザの波長校正方法。
【請求項３】
入力光の各波長毎のレベルを検出し、波長対レベルの情報を出力するスペクトラム検出部（２３）と、
前記スペクトラム検出部が出力する情報に基づいて入力光のスペクトラム波形を表示するスペクトラム表示手段（３１）と、
少なくとも、既知波長の基準光を前記スペクトラム検出部に入力して波長校正を行うための第１のモードと、波長分割多重化光を前記スペクトラム検出部に入力してスペクトラム監視を行うための第２のモードのいずれかを指定するためのモード指定手段（３３）と、
前記モード指定手段によって前記第１のモードが指定されたときに、前記基準光に対して前記スペクトラム検出部の出力情報に基づいて前記基準光の波長を検出する基準光波長検出手段（３４）と、
前記基準光波長検出手段によって検出された前記基準光の波長と前記既知波長との差を初期校正値として検出する第１の校正値検出手段（３５）と、
前記モード指定手段によって前記第２のモードが指定されているときに波長校正を指示するための波長校正指示手段（３６）と、
前記モード指定手段によって前記第２のモードが指定されているときに、前記スペクトラム検出部が出力する情報に基づいて前記波長分割多重化光のスペクトラムのピーク波長を検出するピーク波長検出手段（３７）と、
前記モード指定手段によって前記第２のモードが指定された直後に前記ピーク波長検出手段が検出したピーク波長と、前記波長校正手段によって波長校正の指示があったときに前記ピーク波長検出手段が検出したピーク波長とに基づいて、当該光スペクトラムアナライザの波長変動量に対応する校正値を検出する第２の校正値検出手段（４０）と、
前記第１のモードが指定されたときには、前記基準光に対する検出波長が前記既知波長と一致するように前記スペクトラム検出部の波長に関する情報を前記初期校正値に基づいて校正し、前記第２のモードが指定されているときには、前記波長校正の指示があったときに前記ピーク波長検出手段が検出したピーク波長が前記第２のモードの指定直後に検出したピーク波長に一致するように、前記スペクトラム検出部の波長に関する情報を前記第２の校正値検出手段が検出した校正値に基づいて校正する波長校正手段（５０）とを備えた光スペクトラムアナライザ。
【請求項４】
前記第２の校正値検出手段は、
前記モード指定手段によって第２のモードが指定された直後に前記ピーク波長検出手段が検出した前記波長分割多重化光の各ピーク波長を記憶するピーク波長記憶手段（４１）と、
前記ピーク波長記憶手段によって記憶された各ピーク波長に対してそれぞれ波長変動の補償範囲を設定する補償範囲設定手段（４２）と、
前記波長校正の指示があったときに前記ピーク波長検出手段が検出したピーク波長から、前記補償範囲内に存在するピーク波長を選択する第１のピーク波長選択手段（４３）と、
前記第１のピーク波長選択手段によって選択されたピーク波長の平均値を中心波長として算出する第１の中心波長算出手段（４４）と、
前記ピーク波長記憶手段に記憶されているピーク波長から、前記第１のピーク波長選択手段によって選択されたピーク波長が含まれる補償範囲にそれぞれ対応するピーク波長を選択する第２のピーク波長選択手段（４５）と、
前記２のピーク波長選択手段によって選択されたピーク波長の平均値を基準中心波長として算出する第２の中心波長算出手段（４６）と、
前記中心波長と基準中心波長との差を前記校正値として出力する波長差算出手段（４７）とを備えており、
前記波長校正手段は、
前記中心波長が前記基準中心波長に一致するように、前記スペクトラム検出部の波長に関する情報を前記波長差算出手段から出力される校正値に基づいて校正するように構成されていることを特徴とする請求項３記載の光スペクトラムアナライザ。
【発明の詳細な説明】
【０００１】
【発明の属する技術分野】
本発明は、光スペクトラムアナライザによって波長分割多重化光を監視しながら、光スペクトラムアナライザ自身の波長校正を自動的に行うための技術に関する。
【０００２】
【従来の技術】
光のスペクトラムを測定するために光スペクトラムアナライザが用いられている。
【０００３】
光スペクトラムアナライザは、モータ等によって角度を変えることができるように支持された回折格子に測定対象光を入射し、その回折光からスリットによって選択した光のレベルを受光器によって検出する光学部を有しており、回折格子の角度を連続的に変えることによりスリットを通過する光の波長を掃引して、入力光の波長毎のスペクトラムを求め、これを表示器の画面に波長軸とともに表示している。
【０００４】
表示されるスペクトラムの波長情報は、光学部の機械的な情報、即ち、回折格子の角度情報に基づいて生成されている。
【０００５】
このような構成の光スペクトラムアナライザは、光源のスペクトラム測定だけでなく、光回線の監視等にも用いられる。
【０００６】
例えば、近年では、光ファイバの広帯域化によって１本の光ファイバで複数波長の光信号を多重化して伝送する波長分割多重化（ＷＤＭ）回線が実現されているが、このような波長分割多重化回線の監視のために前記した光スペクトラムアナライザを用いて、波長分割多重化光（以下、ＷＤＭ光と記す）のスペクトラムを表示し、各チャネルの障害の有無等を調べている。
【０００７】
【発明が解決しようとする課題】
しかしながら、上記のような光回線の監視に光スペクトラムアナライザを用いる場合、光学部の経時的な寸法変動等によって、光学部の機械的な情報に基づいて生成出力された波長情報に対して実際に検出される光の波長がずれてしまい、波長に関する正しい情報を把握できなくなってしまう。
【０００８】
これを解決するために、既知波長の基準光を所定時間毎に光スペクトラムアナライザに入力して、光スペクトラムアナライザの波長の情報を校正することが考えられるが、これでは前記したようなＷＤＭ光の監視を所定時間毎に中断しなければならず、その間に発生する障害を見逃してしまう。
【０００９】
本発明は、この問題を解決した光スペクトラムアナライザおよびその波長校正方法を提供することを目的としている。
【００１０】
なお、本発明は、監視対象のＷＤＭ光の各チャンネルの光の波長がそれぞれ独立な固定波長光源から生成されたもので、各固定波長光源の波長安定度が、光スペクトラムアナライザの波長安定度に比べて格段に高く、しかもその変動傾向が互いに独立していて相関がないことに着目し、ＷＤＭ光の各チャネルの光の観測波長の変動が光スペクトラムアナライザ自身の波長変動を表していることを利用して、波長校正を行うものである。
【００１１】
【課題を解決するための手段】
前記目的を達成するために、本発明の請求項１の光スペクトラムアナライザの波長校正方法は、
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出した各スペクトラムのピーク波長を取得する段階（Ｓ６〜Ｓ８）と、
前記波長分割多重光が入力されている間に波長校正を指示する段階（Ｓ１０）と、
波長校正の指示があったときに前記ピーク波長検出手段が検出したピーク波長を取得し、該取得したピーク波長が前記波長分割多重光の入力直後に取得したピーク波長と一致するように、前記スペクトラム検出部の波長に関する情報を校正する段階（Ｓ１１〜Ｓ１７）とを含むことを特徴としている。
【００１２】
また、本発明の請求項２の光スペクトラムアナライザの波長校正方法は、
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出したピーク波長を取得する段階（Ｓ６〜Ｓ８）と、
取得した各ピーク波長に対して光スペクトラムアナライザの波長変動の補償範囲をそれぞれ設定する段階（Ｓ９）と、
前記波長分割多重光の入力中に波長校正を指示する段階（Ｓ１０）と、
波長校正の指示があったときに前記ピーク波長検出手段が検出したピーク波長を取得し、該取得したピーク波長のうち、前記補償範囲内に存在するピーク波長を選択する段階（Ｓ１１、Ｓ１２）と、
選択したピーク波長の平均値を中心波長として求める段階（Ｓ１３）と、
前記波長分割多重光の入力直後に取得したピーク波長のうち、前記選択したピーク波長が含まれる補償範囲にそれぞれ対応するピーク波長を選択する段階（Ｓ１４）と、
前記波長分割多重光の入力直後に取得したピーク波長のうちから選択したピーク波長の平均値を基準中心波長として求める段階（Ｓ１５）と、
前記中心波長が前記基準中心波長に一致するように、前記スペクトラム検出部の波長に関する情報を校正する段階（Ｓ１６、Ｓ１７）とを含むことを特徴としている。
【００１３】
また、本発明の請求項３の光スペクトラムアナライザは、
入力光の各波長毎のレベルを検出し、波長対レベルの情報を出力するスペクトラム検出部（２３）と、
前記スペクトラム検出部が出力する情報に基づいて入力光のスペクトラム波形を表示するスペクトラム表示手段（３１）と、
少なくとも、既知波長の基準光を前記スペクトラム検出部に入力して波長校正を行うための第１のモードと、波長分割多重化光を前記スペクトラム検出部に入力してスペクトラム監視を行うための第２のモードのいずれかを指定するためのモード指定手段（３３）と、
前記モード指定手段によって前記第１のモードが指定されたときに、前記基準光に対して前記スペクトラム検出部の出力情報に基づいて前記基準光の波長を検出する基準光波長検出手段（３４）と、
前記基準光波長検出手段によって検出された前記基準光の波長と前記既知波長との差を初期校正値として検出する第１の校正値検出手段（３５）と、
前記モード指定手段によって前記第２のモードが指定されているときに波長校正を指示するための波長校正指示手段（３６）と、
前記モード指定手段によって前記第２のモードが指定されているときに、前記スペクトラム検出部が出力する情報に基づいて前記波長分割多重化光のスペクトラムのピーク波長を検出するピーク波長検出手段（３７）と、
前記モード指定手段によって前記第２のモードが指定された直後に前記ピーク波長検出手段が検出したピーク波長と、前記波長校正手段によって波長校正の指示があったときに前記ピーク波長検出手段が検出したピーク波長とに基づいて、当該光スペクトラムアナライザの波長変動量に対応する校正値を検出する第２の校正値検出手段（４０）と、
前記第１のモードが指定されたときには、前記基準光に対する検出波長が前記既知波長と一致するように前記スペクトラム検出部の波長に関する情報を前記初期校正値に基づいて校正し、前記第２のモードが指定されているときには、前記波長校正の指示があったときに前記ピーク波長検出手段が検出したピーク波長が前記第２のモードの指定直後に検出したピーク波長に一致するように、前記スペクトラム検出部の波長に関する情報を前記第２の校正値検出手段が検出した校正値に基づいて校正する波長校正手段（５０）とを備えている。
【００１４】
また、本発明の請求項４の光スペクトラムアナライザは、請求項３の光スペクトラムアナライザにおいて、
前記第２の校正値検出手段は、
前記モード指定手段によって第２のモードが指定された直後に前記ピーク波長検出手段が検出した前記波長分割多重化光の各ピーク波長を記憶するピーク波長記憶手段（４１）と、
前記ピーク波長記憶手段によって記憶された各ピーク波長に対してそれぞれ波長変動の補償範囲を設定する補償範囲設定手段（４２）と、
前記波長校正の指示があったときに前記ピーク波長検出手段が検出したピーク波長から、前記補償範囲内に存在するピーク波長を選択する第１のピーク波長選択手段（４３）と、
前記第１のピーク波長選択手段によって選択されたピーク波長の平均値を中心波長として算出する第１の中心波長算出手段（４４）と、
前記ピーク波長記憶手段に記憶されているピーク波長から、前記第１のピーク波長選択手段によって選択されたピーク波長が含まれる補償範囲にそれぞれ対応するピーク波長を選択する第２のピーク波長選択手段（４５）と、
前記２のピーク波長選択手段によって選択されたピーク波長の平均値を基準中心波長として算出する第２の中心波長算出手段（４６）と、
前記中心波長と基準中心波長との差を前記校正値として出力する波長差算出手段（４７）とを備えており、
前記波長校正手段は、
前記中心波長が前記基準中心波長に一致するように、前記スペクトラム検出部の波長に関する情報を前記波長差算出手段から出力される校正値に基づいて校正するように構成されている。
【００１５】
【発明の実施の形態】
以下、図面に基づいて本発明の実施の形態を説明する。
図１は、本発明を実施した光スペクトラムアナライザ２０の構成を示している。
【００１６】
図１において、光スイッチ２１は、入力端子２０ａから入力される入力光と、基準光源２２から出力される既知波長の基準光のいずれか一方をスペクトラム検出部２３に入力させる。
【００１７】
この光スイッチ２１は、後述するモード指定手段３３によって基準光による校正のための第１のモードが指定されたときだけ基準光源２２側に切り換わる。
【００１８】
基準光源２２は、既知波長で且つその波長安定度が極めて高い基準光を出力するためのものであり、例えば気体レーザのように特定波長にパワーが集中している光を用いる場合と、例えば広帯域光源の出力光からアセチレンガスセル等によって特定波長の光のみを吸収させた光（ディップ光）を用いる場合とがあるが、ここでは、ディップ光を用いる場合について説明する。
【００１９】
また、ここでは、光スイッチ２１と基準光源２２を内蔵している光スペクトラムアナライザ２０について説明するが、入力端子２０ａとスペクトラム検出部２３との間が直結されている光スペクトラムアナライザの場合には、外部の基準光源から入力端子２０ａに基準光を入力する。
【００２０】
スペクトラム検出部２３は、入力光の波長に対するレベルの情報（スペクトラム情報）を検出するためのものであり、図２に示しているように、光学部２４、Ａ／Ｄ変換器２５、波長角度情報メモリ２６、掃引制御部２７および波長校正手段５０を有している。
【００２１】
光学部２４は、入力光から任意の波長の光のレベルを選択的に検出するものであり、例えば図３に示すように、入力光をコリメータ２４ａによって平行光に変換して回折格子２４ｂに入射し、その回折光のうち、回折格子２４ｂの角度によって決まる波長の光をコリメータ２４ｃおよびスリット２４ｄによって選択して受光器２４ｅで受光する。回折格子２４ｂはモータ等による回転装置２４ｆによって回転駆動され、回折格子２４ｂの角度に対応した波長の光の強さに対応したレベルの受光信号が受光器２４ｅから出力される。
【００２２】
光学部２４から出力される受光信号はＡ／Ｄ変換器２５によってディジタルのレベルデータＬ（ｎ）に変換される。
【００２３】
波長角度情報メモリ２６には、回折格子２４ａの角度の情報とその角度に対応した測定波長とが予め記憶されている。なお、ここでは、角度情報が大きい程測定波長が大きくなるものとする。
【００２４】
掃引制御部２７は、図示しない操作部等で指定された波長範囲に対する掃引指示を受けると、波長角度情報メモリ２６の情報から得られる角度情報を光学部２４に出力して回折格子２４ａの角度を制御して、光学部２４が選択する波長を指定された波長範囲内で所定周期で繰り返し掃引させて、掃引される波長のデータλ（ｎ）とその波長に対応するレベルデータＬ（ｎ）とを入力光のスペクトラム情報として出力する。
【００２５】
ただし、前記したように、光学部２４の経時的な寸法変動等によって、光学部２４の機械的な情報に基づいて生成出力された波長データと実際に検出される光の波長の間にずれが生じる。
【００２６】
即ち、所望の波長λ（ｎ）に対してその波長λ（ｎ）に対応したレベルデータＬ（ｎ）が得られれば問題ないが、所望の波長λ（ｎ）に対して例えばΔλだけ長い波長λ（ｎ）＋Δλに対応するレベルデータＬ（ｎ）が出力される場合がある。
【００２７】
このずれをなくすために、この実施形態では、掃引制御部２７と光学部２４の間に波長校正手段５０が設けられている。
【００２８】
この波長校正手段５０は、後述する第１の校正値検出手段３５および第２の校正値検出手段４０によって検出された校正値に基づいて、スペクトラム検出部２３の波長に関する情報を校正するためのものであり、その詳細については後述する。
【００２９】
スペクトラム検出部２３から出力されるスペクトラム情報のうち、レベルデータＬ（ｎ）は、スペクトラムメモリ２８の第１の領域２８ａに記憶され、波長データλは、スペクトラムメモリ２８の第２の領域２８ｂに記憶される。
【００３０】
スペクトラム表示手段３１は、スペクトラムメモリ２８に記憶されたレベルデータＬ（ｎ）と波長データλ（ｎ）とを読み出し、横軸を波長、縦軸をレベルとする座標の表示データおよびその座標内におけるスペクトラム波形の表示データを生成して表示器３２に出力し、表示器３２の画面上に入力光のスペクトラム波形を表示させる。なお、このスペクトラム表示手段３１は、後述するピーク波長検出手段３７によって検出されるＷＤＭ光のスペクトラムのピーク波長を表示できるようになっている。
【００３１】
モード指定手段３３は、この光スペクトラムアナライザ２０の動作モードを指定するためのものであり、図示しない操作部の操作等によって、少なくとも既知波長の基準光を入力して波長校正を行うための第１のモードと、ＷＤＭ光を入力してそのスペクトラム監視を行うための第２のモードのいずれかを指定できるようになっている。
【００３２】
なお、前記したように、監視対象のＷＤＭ光の各チャンネルの光は、それぞれ独立な固定波長光源から生成されたもので、各固定波長光源の波長安定度は光スペクトラムアナライザの波長安定度に比べて格段に高く、しかもその変動傾向は互いに独立していて相関がないものとする。
【００３３】
基準光波長検出手段３４は、モード指定手段３３によって第１のモードが指定されたときに、スペクトラムメモリ２８に記憶されたレベルデータの増減変化を調べ、基準光の波長を検出する。
【００３４】
前記したように、ここでは吸収線型の基準光源２２を用いているので、基準光波長検出手段３４は、スペクトラムメモリ２８に記憶されたレベルデータから、レベルがディップ（大きく落ち込む）するディップ波長を基準光波長として検出するが、基準光として気体レーザのようにある波長にパワーが集中している光を用いる場合には、スペクトラムメモリ２８に記憶されたレベルデータのうち、レベルが最大となる波長を基準光波長として検出する。
【００３５】
第１の校正値検出手段３５は、モード指定手段３３によって第１のモードが指定されたときに、基準光波長検出手段３４によって検出される基準光の波長λｒ′と、予め設定されている基準光の既知波長λｒとの差Δλｒ＝λｒ′−λｒを初期校正値として算出して、波長校正手段５０に出力する。
【００３６】
波長校正指示手段３６は、モード指定手段３３によって第２のモードが指定されている間に波長校正の指示をするためのものであり、例えば波長校正を一定時間毎に自動的に行う場合にはタイマによって構成され、手動で指示する場合には、図示しない操作部の操作で波長校正の指示を行う。
【００３７】
ピーク波長検出手段３７は、モード指定手段３３によって第２のモードが指定されているときに、スペクトラムメモリ２８に記憶されたレベルデータの増減変化を調べ、レベルがピーク（極大）となる波長のうち、雑音レベルより高い位置に設定したしきい値以上のものをピーク波長として検出する。このピーク波長の検出は、スペクトラム検出部２３の波長掃引による新たなデータがスペクトラムメモリ２８に記憶される毎に行う。
【００３８】
なお、ここでは、スペクトラム表示手段３１が監視対象のＷＤＭ光のスペクトラムのピーク波長を表示できるように、第２のモードが指定されている間、ピーク波長検出手段３７が連続的にピーク波長の検出を行うものとするが、ピーク波長を波長校正のためだけに使用する場合、ピーク波長検出手段３７は、第２のモードが指定された直後および波長校正の指示がっあったときのみピーク波長を検出するようにしてもよい。
【００３９】
第２の校正値検出手段４０は、監視対象のＷＤＭ光を利用して光スペクトラムアナライザの波長変動量に対応した校正値を検出するためのものであり、ピーク波長記憶手段４１、補償範囲設定手段４２、第１のピーク波長選択手段４３、第１の中心波長算出手段４４、第２のピーク波長選択手段４５、第２の中心波長算出手段４６および波長差算出手段４７によって構成されている。
【００４０】
ピーク波長記憶手段４１は、モード指定手段３３によって第２のモードが指定された直後にピーク波長検出手段３７が検出したＷＤＭ光のスペクトラムの各ピーク波長λａ（１）〜λａ（ｍ）を記憶する。
【００４１】
補償範囲設定手段４２は、ピーク波長記憶手段４１が記憶した各ピーク波長λａ（１）〜λａ（ｍ）に対して、この光スペクトラムアナライザ２０が補償する波長変動の範囲をそれぞれ設定する。
【００４２】
即ち、この光スペクトラムアナライザ２０が補償する最大波長変動量をΔλｄとすると、各ピーク波長λａ（１）〜λａ（ｍ）に対して
Ｗ（１）＝λａ（１）−Δλｄ〜λａ（１）＋Δλｄ
Ｗ（２）＝λａ（２）−Δλｄ〜λａ（２）＋Δλｄ
……
Ｗ（ｍ）＝λａ（ｍ）−Δλｄ〜λａ（ｍ）＋Δλｄ
の補償範囲Ｗ（１）〜Ｗ（ｍ）をそれぞれ設定する。
【００４３】
また、第１のピーク波長選択手段４３は、モード指定手段３３によって第２のモードが指定されている状態で、波長校正指示手段３６による波長校正の指示があったときに、ピーク波長検出手段３７が検出した各ピーク波長λｂ（１）〜λｂ（ｋ）（ｋ≦ｍ）を取得し、そのピーク波長λｂ（１）〜λｂ（ｋ）から、補償範囲設定手段４２によって設定された各補償範囲Ｗ（１）〜Ｗ（ｍ）内に存在するものを選択する。
【００４４】
このピーク波長の選択は、補償範囲に存在するピークの数に応じて行う。即ち、設定された全ての補償範囲について、存在するピークがそれぞれ１つ以下の場合には、それら全てのピーク波長を無条件に選択し、設定された全ての補償範囲のうち、外乱等によってピークが複数存在する補償範囲がある場合には、補償範囲に２つ以上存在するピーク波長を除外して補償範囲に１つだけ存在するピーク波長のみを選択する。
【００４５】
第１の中心波長算出手段４４は、第１のピーク波長選択手段４３によって選択されたピーク波長λｅ（１）〜λｅ（ｕ）（ｕ≦ｋ）に対して次式（１）の平均演算を行って、ＷＤＭ光の中心波長λｃ′を算出する。
【００４６】
λｃ′＝［λｅ（１）＋λｅ（２）＋…＋λｅ（ｕ）］／ｕ…（１）
【００４７】
一方、第２のピーク波長選択手段４５は、ピーク波長記憶手段４１が記憶した各ピーク波長λａ（１）〜λａ（ｍ）のうち、第１のピーク波長選択手段４３が選択したピーク波長λｅ（１）〜λｅ（ｕ）が含まれる補償範囲に対応するピーク波長λｇ（１）〜λｇ（ｕ）を選択する。
【００４８】
第２の中心波長算出手段４６は、第２のピーク波長選択手段４５によって選択されたピーク波長λｇ（１）〜λｇ（ｕ）に対して次式（２）の平均演算を行い、その演算結果をＷＤＭ光の基準中心波長λｃとして求める。
【００４９】
λｃ＝［λｇ（１）＋λｇ（２）＋…＋λｇ（ｕ）］／ｕ……（２）
【００５０】
波長差算出手段４７は、第２のモードが指定されてから波長校正指示手段３６によって波長校正が指示される毎に第１の中心波長算出手段４４によって算出される中心波長λｃ′と第２の中心波長算出手段４６によって算出される基準中心波長λｃとの波長差Δλｃ＝λｃ′−λｃを、ＷＤＭ光監視状態における光スペクトラムアナライザ２０の波長変動を校正するための校正値として求める。
【００５１】
波長校正手段５０は、モード指定手段３３によって第１のモードが指定されたときには、基準光に対して検出した波長が既知波長と一致するように、スペクトラム検出部２３が出力する波長データλ（ｎ）に対する光学部２４への角度情報φを、第１の校正値検出手段３５によって検出された初期校正値Δλｒに基づいて校正し、第２のモードが指定されたときには、第２の校正値検出手段４０によって検出される校正値Δλｃに基づいてスペクトラム検出部２３が出力する波長データλ（ｎ）に対する光学部２４への角度情報φを校正する。
【００５２】
この波長校正手段５０は、例えば、図４に示すように、校正値メモリ５１、演算器５２、角度換算手段５３によって構成されている。
【００５３】
演算器５２は、掃引制御部２７から出力される角度情報φから校正値メモリ５１に記憶されている校正値Δφ（初期値０とする）を減算し、その減算結果φ′て光学部２４に出力する。なお、ここでは角度情報が大きい程波長が大きいとしていたが、角度情報が大きい程波長が小さい場合には、演算器５２は角度情報φに校正値Δφを加算し、その加算結果φ′を光学部２４に出力する。
【００５４】
角度換算手段５３は、第１のモードが指定されているときに第１の校正値検出手段３５から出力された校正値Δλｒを角度換算し、その角度換算値で校正値メモリ５１の内容を更新する。また、第２のモードが指定されているときに第２の校正値検出手段４０から出力された校正値Δλｃを角度換算し、その角度換算値で校正値メモリ５１の内容を更新する。
【００５５】
なお、ここでは、波長校正手段５０によって校正される波長に関する情報が、光学部２４に対する角度情報の場合について説明するが、掃引制御部２７が参照する波長角度情報メモリ２６の角度対波長の角度情報や波長情報を校正値分修正する方法や、スペクトラム検出部２３から出力される波長データに校正値分の修正を加える方法も採用することができる。
【００５６】
次に、この光スペクトラムアナライザ２０によってＷＤＭ光の監視を行う場合の処理手順を図５のフローチャートにしたがって説明する。
【００５７】
ＷＤＭ光の監視を行う前に、モード指定手段３３によって第１のモードを指定して、基準光源２２から既知波長の基準光を入力させる（Ｓ１）。なお、このときスペクトラム検出部２３の掃引範囲は、基準光の波長をカバーするように設定されているものとし、校正値メモリ５１の記憶値は０に初期化されているものとする。
【００５８】
この第１のモードの指定によって、基準光が光スイッチ２１を介してスペクトラム検出部２３に入力され、スペクトラム検出部２３の波長掃引によって基準光のスペクトラム情報が検出され、そのレベルデータＬ（ｎ）と波長データλ（ｎ）とがスペクトラムメモリ２８の第１の領域２８ａおよび第２の領域２８ｂにそれぞれ記憶される（Ｓ２）。
【００５９】
基準光についてのスペクトラム情報がスペクトラムメモリ２８に記憶されると、基準光波長検出手段３４によって基準光の波長（ディップ波長）λｒ′が検出される（Ｓ３）。
【００６０】
そして、この検出された波長λｒ′と既知波長λｒとの差Δλｒが第１の校正値検出手段３５によって初期校正値として求められ、この初期校正値Δλｒを受けた波長校正手段５０が、スペクトラム検出部２３の掃引制御部２７から出力される角度情報φから初期校正値Δλｒの角度換算値Δφを減算して光学部２４に出力して、次の掃引によってスペクトラム検出部２３から出力されるレベルデータＬ（ｎ）の各波長が波長データλ（ｎ）に高精度に対応するように校正する（Ｓ４、Ｓ５）。
【００６１】
このため、このスペクトラムメモリ２８のデータに基づいてスペクトラム表示手段３１が表示するスペクトラム波形は基準光の波長精度で波長に正しく対応している。
【００６２】
この基準光による波長校正が終了した後、監視対象のＷＤＭ光を入力端子２０ａに入力した状態で、モード指定手段３３によって第２のモードを指定すると、そのＷＤＭ光が光スイッチ２１を介してスペクトラム検出部２３に入力され、スペクトラム検出部２３の波長掃引によってＷＤＭ光のスペクトラム情報が検出され、そのレベルデータＬ（λ）と波長データλ（ｎ）とがスペクトラムメモリ２８の第１の領域２８ａおよび第２の領域２８ｂに記憶される（Ｓ６、Ｓ７）。
【００６３】
ＷＤＭ光についてのスペクトラム情報がスペクトラムメモリ２８に記憶されると、スペクトラム表示手段３１によってＷＤＭ光のスペクトラム波形が例えば図６に示すように表示器３２の画面に表示される。
【００６４】
ここで表示されるＷＤＭ光のスペクトラム波形は、基準光によって校正された直後のデータによるものであるから、表示器３２に表示されたＷＤＭ光のスペクトラム波形は基準光の波長精度で波長に正しく対応している。
【００６５】
一方、ＷＤＭ光について最初に検出されたスペクトラム情報がスペクトラムメモリ２８に記憶されると、ピーク波長検出手段３７によってＷＤＭ光のスペクトラムの各ピーク波長λａ（１）〜λａ（ｍ）が検出されて、第２の校正値検出手段４０のピーク波長記憶手段４１によって記憶され、図６に示しているように、補償範囲設定手段４２によってこれらのピーク波長λａ（１）〜λａ（ｍ）についての補償範囲Ｗ（１）〜Ｗ（ｍ）がそれぞれ設定される（Ｓ８、Ｓ９）。
【００６６】
このようにして、監視対象のＷＤＭ光について最初に検出されたスペクトラム情報に基づいてピーク波長λａ（１）〜λａ（ｍ）および補償範囲Ｗ（１）〜Ｗ（ｍ）が得られてから波長校正指示手段３６による波長校正の指示があるまで、、スペクトラム検出手段２３によって検出されるスペクトラムの波形表示が前記同様に行われ、このスペクトラム波形を監視することで、ＷＤＭ回線の異常の有無を把握できる。
【００６７】
例えば図７に示すように特定のチャネルのスペクトラムが表示されなくなったときには、そのチャネル光の出力停止異常が発生したことがわかる。
【００６８】
また、図８に示すように特定のチャネルのスペクトラムの近傍に別のスペクトラムが発生した場合には、回線に対する外乱光の進入等の異常が発生したことがわかる。
【００６９】
また、この間にスペクトラム検出部２３の光学部２４の経時変化によってスペクトラム検出部２３から出力されるレベルデータと波長データとが対応しなくなると、例えば図９のように、表示器３２の画面上で各チャネルのスペクトラムが波長軸に沿って徐々にシフトしてくる。
【００７０】
ここで、波長校正指示手段３６による波長校正の指示（例えばタイマが一定時間が経過したことを示す）があると、その時点でピーク波長検出手段３７によって検出されたＷＤＭ光のスペクトラムの各ピーク波長λｂ（１）〜λｂ（ｋ）が取得され、そのピーク波長のうち、補償範囲Ｗ（１）〜Ｗ（ｍ）に１つだけ存在するピーク波長λｅ（１）〜λｅ（ｕ）が第１のピーク波長選択手段４３によって選択され、この選択されたピーク波長λｅ（１）〜λｅ（ｕ）に基づいてＷＤＭ光の現段階の中心波長λｃ′が算出される（Ｓ１０〜Ｓ１３）。
【００７１】
また、第２のピーク波長選択手段４５によって、最初に検出されたピーク波長λａ（１）〜λａ（ｍ）のなかから、ピーク波長λｅ（１）〜λｅ（ｕ）が存在する補償範囲にそれぞれ対応するピーク波長λｇ（１）〜λｇ（ｕ）が選択され、第２の中心波長算出手段４６によりこの選択されたピーク波長λｇ（１）〜λｇ（ｕ）に基づいて、ＷＤＭ光の基準中心波長λｃが算出される（Ｓ１４、Ｓ１５）。
【００７２】
ここで、ピーク波長λａ（１）〜λａ（ｍ）のなかから選択されたピーク波長λｇ（１）〜λｇ（ｕ）は基準光による校正の直後に検出されたもので十分に正確であり、しかも、各ピーク波長λｇ（１）〜λｇ（ｕ）に基づいて算出される基準中心波長λｃは、波長安定度が高く且つ互いに相関のないＷＤＭ光の各チャネルの光の波長の平均値で、その平均値演算によって各チャネルの光の波長の僅かな変動が抑圧されているので、この光スペクトラムアナライザ２０の波長校正のための基準値として十分な精度を有している。
【００７３】
そして、この算出された中心波長λｃ′と基準中心波長λｃとの波長差Δλｃが校正値として波長差算出手段４７によって求められる（Ｓ１６）。
【００７４】
波長校正手段５０は、この検出された校正値Δλｃを角度換算し、その角度換算値Δφによって校正値メモリ５１の内容を更新して、スペクトラム検出部２３の波長に関する情報を校正し、次の掃引でスペクトラム検出部２３が出力する波長データとレベルデータとが正確に対応するようにする（Ｓ１７）。
【００７５】
上記校正値Δλｃは、前記したように、観測対象のＷＤＭ光の各チャネルの光波長安定度がこの光スペクトラムアナライザ２０の波長安定度に比べて格段に高く且つ互いに相関をもたず、その僅かな変動も平均値演算によって抑圧されているため、光スペクトラムアナライザ２０自身の波長変動量と等価であり、前記したように波長校正手段５０によってスペクトラム検出部２３の波長に関する情報（この場合角度情報）をこの校正値Δλｃ分修正することで、光スペクトラムアナライザ２０の波長校正が行える。
【００７６】
また、この校正値Δλｃの算出の基になる基準中心波長λｃは、中心波長λｃ′を求めるときに用いたピーク波長が含まれる補償範囲に対応したピーク波長から算出しているため、中心波長λｃ′を求めるときに、図９に示したようにあるチャネルのスペクトラムが欠落していたとしても、その欠落による中心波長の誤差は生じない。
【００７７】
また、図１０に示したようにある補償範囲内において既存のスペクトラムの近傍に別のスペクトラムが発生していたとしても、前記した第１のピーク波長選択手段４３によってこの補償範囲のピーク波長は除外されるので、この別のスペクトラムによる中心波長の誤差は生じない。
【００７８】
この波長情報の校正により、表示器３２に表示されるＷＤＭ光のスペクトラム波形は、図６〜図８で示したように、基準光によって波長校正した直後に観測されたスペクトラム波形とほぼ同様の位置に戻されて、波長に正しく対応する。
【００７９】
以後、波長校正指示手段３６による波長校正の指示がある毎に、ＷＤＭ光の中心波長λｃ′とそれに対応する基準中心波長λｃとの波長差Δλｃが校正値として算出され、この校正値Δλｃに基づいて光スペクトラムアナライザ２０の波長校正がなされる。
【００８０】
このように、ＷＤＭ光に対する監視を行っている間、波長校正の指示がある毎にＷＤＭ光の各スペクトラムの検出波長に基づいて光スペクトラムアナライザ２０の波長校正がなされるため、観測者は、ＷＤＭ光のスペクトラムを常に波長情報に正しく対応した状態で常時観測することができ、障害の発生を見過ごす恐れがなくなる。
【００８１】
また、基準光による波長校正が終了した直後に検出したＷＤＭ光のピーク波長についてそれぞれ波長変動の補償範囲を設定し、ＷＤＭ光のスペクトラムがこの補償範囲内にあるか否か、また１つだけ存在するか否かに基づいて、校正値を算出するためのピーク波長を選択しているので、観測対象のＷＤＭ光のチャネル欠落やその復旧あるいは外乱等の影響で校正精度が低下する恐れがない。
【００８２】
【発明の効果】
以上説明したように、本発明の請求項１の光スペクトラムアナライザの波長校正方法は、
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出した各スペクトラムのピーク波長を取得する段階（Ｓ６〜Ｓ８）と、
前記波長分割多重光が入力されている間に波長校正を指示する段階（Ｓ１０）と、
波長校正の指示があったときに前記ピーク波長検出手段が検出したピーク波長を取得し、該取得したピーク波長が前記波長分割多重光の入力直後に取得したピーク波長と一致するように、前記スペクトラム検出部の波長に関する情報を校正する段階（Ｓ１１〜Ｓ１７）とを含むことを特徴としている。
【００８３】
このため、波長分割多重光の監視を中断することなく、光スペクトラムアナライザの波長を波長分割多重光のチャネル光の波長精度で校正することができ、波長分割多重光の異常を見過ごすことがない。
【００８４】
また、本発明の請求項２の光スペクトラムアナライザの波長校正方法は、
入力光の各波長毎のレベルを検出し、波長対レベルの情報を出力するスペクトラム検出部（２３）と、該スペクトラム検出部の出力情報に基づいて入力光のスペクトラムのピーク波長を検出するピーク波長検出手段（３７）とを有する光スペクトラムアナライザの波長校正方法であって、
既知波長の基準光を前記スペクトラム検出部に入力し、その出力情報に基づいて前記基準光の波長を検出する段階（Ｓ１〜Ｓ３）と、
検出した基準光の波長が前記既知波長に一致するように前記スペクトラム検出部の波長に関する情報を校正する段階（Ｓ４、Ｓ５）と、
前記基準光によって校正した直後に監視対象の波長分割多重光を前記スペクトラム検出部に入力するとともに、該波長分割多重光の入力直後に前記ピーク波長検出手段が検出したピーク波長を取得する段階（Ｓ６〜Ｓ８）と、
取得した各ピーク波長に対して光スペクトラムアナライザの波長変動の補償範囲をそれぞれ設定する段階（Ｓ９）と、
前記波長分割多重光の入力中に波長校正を指示する段階（Ｓ１０）と、
波長校正の指示があったときに前記ピーク波長検出手段が検出したピーク波長を取得し、該取得したピーク波長のうち、前記補償範囲内に存在するピーク波長を選択する段階（Ｓ１１、Ｓ１２）と、
選択したピーク波長の平均値を中心波長として求める段階（Ｓ１３）と、
前記波長分割多重光の入力直後に取得したピーク波長のうち、前記選択したピーク波長が含まれる補償範囲にそれぞれ対応するピーク波長を選択する段階（Ｓ１４）と、
前記波長分割多重光の入力直後に取得したピーク波長のうちから選択したピーク波長の平均値を基準中心波長として求める段階（Ｓ１５）と、
前記中心波長が前記基準中心波長に一致するように、前記スペクトラム検出部の波長に関する情報を校正する段階（Ｓ１６、Ｓ１７）とを含むことを特徴としている。
【００８５】
このため、波長分割多重光の監視を中断することなく、光スペクトラムアナライザの波長を波長分割多重光のチャネル光の波長精度で校正することができ、波長分割多重光の異常を見過ごすことがない。
【００８６】
また、波長分割多重光を入力した直後に検出したピーク波長に対してそれぞれ波長変動の補償範囲を設定し、波長校正の指示がある毎に検出したピーク波長のうち、補償範囲内にあるピーク波長の平均値と、そのピーク波長が含まれる補償範囲の基になるピーク波長の平均値との差によって校正値を求めているので、波長分割多重光のチャネル欠落やその復旧あるいは外乱等の異常が発生したときでも、校正精度が低下することがない。
【００８７】
また、本発明の請求項３の光スペクトラムアナライザは、
入力光の各波長毎のレベルを検出し、波長対レベルの情報を出力するスペクトラム検出部（２３）と、
前記スペクトラム検出部が出力する情報に基づいて入力光のスペクトラム波形を表示するスペクトラム表示手段（３１）と、
少なくとも、既知波長の基準光を前記スペクトラム検出部に入力して波長校正を行うための第１のモードと、波長分割多重化光を前記スペクトラム検出部に入力してスペクトラム監視を行うための第２のモードのいずれかを指定するためのモード指定手段（３３）と、
前記モード指定手段によって前記第１のモードが指定されたときに、前記基準光に対して前記スペクトラム検出部の出力情報に基づいて前記基準光の波長を検出する基準光波長検出手段（３４）と、
前記基準光波長検出手段によって検出された前記基準光の波長と前記既知波長との差を初期校正値として検出する第１の校正値検出手段（３５）と、
前記モード指定手段によって前記第２のモードが指定されているときに波長校正を指示するための波長校正指示手段（３６）と、
前記モード指定手段によって前記第２のモードが指定されているときに、前記スペクトラム検出部が出力する情報に基づいて前記波長分割多重化光のスペクトラムのピーク波長を検出するピーク波長検出手段（３７）と、
前記モード指定手段によって前記第２のモードが指定された直後に前記ピーク波長検出手段が検出したピーク波長と、前記波長校正手段によって波長校正の指示があったときに前記ピーク波長検出手段が検出したピーク波長とに基づいて、当該光スペクトラムアナライザの波長変動量に対応する校正値を検出する第２の校正値検出手段（４０）と、
前記第１のモードが指定されたときには、前記基準光に対する検出波長が前記既知波長と一致するように前記スペクトラム検出部の波長に関する情報を前記初期校正値に基づいて校正し、前記第２のモードが指定されているときには、前記波長校正の指示があったときに前記ピーク波長検出手段が検出したピーク波長が前記第２のモードの指定直後に検出したピーク波長に一致するように、前記スペクトラム検出部の波長に関する情報を前記第２の校正値検出手段が検出した校正値に基づいて校正する波長校正手段（５０）とを備えている。
【００８８】
このため、波長分割多重光の監視を中断することなく、光スペクトラムアナライザの波長を波長分割多重光のチャネル光の波長精度で校正することができ、波長分割多重光の異常を見過ごすことがない。
【００８９】
また、本発明の請求項４の光スペクトラムアナライザは、請求項３の光スペクトラムアナライザにおいて、
前記第２の校正値検出手段は、
前記モード指定手段によって第２のモードが指定された直後に前記ピーク波長検出手段が検出した前記波長分割多重化光の各ピーク波長を記憶するピーク波長記憶手段（４１）と、
前記ピーク波長記憶手段によって記憶された各ピーク波長に対してそれぞれ波長変動の補償範囲を設定する補償範囲設定手段（４２）と、
前記波長校正の指示があったときに前記ピーク波長検出手段が検出したピーク波長から、前記補償範囲内に存在するピーク波長を選択する第１のピーク波長選択手段（４３）と、
前記第１のピーク波長選択手段によって選択されたピーク波長の平均値を中心波長として算出する第１の中心波長算出手段（４４）と、
前記ピーク波長記憶手段に記憶されているピーク波長から、前記第１のピーク波長選択手段によって選択されたピーク波長が含まれる補償範囲にそれぞれ対応するピーク波長を選択する第２のピーク波長選択手段（４５）と、
前記２のピーク波長選択手段によって選択されたピーク波長の平均値を基準中心波長として算出する第２の中心波長算出手段（４６）と、
前記中心波長と基準中心波長との差を前記校正値として出力する波長差算出手段（４７）とを備えており、
前記波長校正手段は、
前記中心波長が前記基準中心波長に一致するように、前記スペクトラム検出部の波長に関する情報を前記波長差算出手段から出力される校正値に基づいて校正するように構成されている。
【００９０】
このように、波長分割多重光を入力した直後に検出したピーク波長に対してそれぞれ波長変動の補償範囲を設定し、波長校正の指示がある毎に検出したピーク波長のうちの補償範囲内にあるピーク波長の平均値と、そのピーク波長が含まれる補償範囲の基になるピーク波長の平均値との差によって校正値を求めているので、波長分割多重光のチャネル欠落やその復旧が発生したときでも校正精度が悪化することがない。
【図面の簡単な説明】
【図１】本発明の実施形態の構成を示すブロック図
【図２】実施形態の要部の構成を示す図
【図３】実施形態の要部の構成を示す図
【図４】実施形態の要部の構成を示すブロック図
【図５】実施形態の処理手順を示すフローチャート
【図６】基準光による校正が終了した後および波長校正指示によって校正された後の波長分割多重化光のスペクトラムの表示波形を示す図
【図７】基準光による校正が終了した後およびおよび波長校正指示によって校正された後の波長分割多重化光のスペクトラムの表示波形を示す図
【図８】基準光による校正が終了した後およびおよび波長校正指示によって校正された後の波長分割多重化光のスペクトラムの表示波形を示す図
【図９】波長校正指示を受ける前の波長分割多重化光のスペクトラムの表示波形を示す図
【図１０】波長校正指示を受ける前の波長分割多重化光のスペクトラムの表示波形を示す図
【符号の説明】
２０  光スペクトラムアナライザ
２０ａ  入力端子
２１  光スイッチ
２２  基準光源
２３  スペクトラム検出部
２４  光学部
２４ａ、２４ｃ  コリメータ
２４ｂ  回折格子
２４ｄ  スリット
２４ｅ  受光器
２４ｆ  回転装置
２５  Ａ／Ｄ変換器
２６  波長角度情報メモリ
２７  掃引制御部
２８  スペクトラムメモリ
３１  スペクトラム表示手段
３２  表示器
３３  モード指定手段
３４  基準光波長検出手段
３５  第１の校正値検出手段
３６  波長校正指示手段
３７  ピーク波長検出手段
４０  第２の校正値検出手段
４１  ピーク波長記憶手段
４２  補償範囲設定手段
４３  第１のピーク波長選択手段
４４  第１の中心波長算出手段
４５  第２のピーク波長選択手段
４６  第２の中心波長算出手段
４７  波長差算出手段
５０  波長校正手段
５１  校正値メモリ
５２  演算器
５３  角度換算手段
【図１】
0004533527.tif 000002
【図２】
0004533527.tif 000003
【図３】
0004533527.tif 000004
【図４】
0004533527.tif 000005
【図５】
0004533527.tif 000006
【図６】
0004533527.tif 000007
【図７】
0004533527.tif 000008
【図８】
0004533527.tif 000009
【図９】
0004533527.tif 000010
【図１０】
0004533527.tif 000011